(57)【要約】【課題】複数のプロジェクタからの投写光により１つの画像を形成するプロジェクタシステムとしての使用と、単独のプロジェクタとしての使用との、両方を兼用できるプロジェクタ、及びこのプロジェクタのための照明装置を提供すること。【解決手段】光を供給する光源部２０１と、射出端面から所定距離だけ離れた面内の第１の領域では、光源部２０１からの光の光量を所定値に略均一にし、第１の領域の周辺近傍の第２の領域では、光源部２０１からの光の光量を第１の領域からの距離に応じて所定値よりも小さくするロッドインテグレータ２０３と、ロッドインテグレータ２０３を第２の領域の大きさに対応して移動する移動部５００とを有する。【選択図】      図５−１
2006023459.tif 000002
【特許請求の範囲】
【請求項１】
光を供給する光源部と、
射出端面から所定距離だけ離れた面内の第１の領域では、前記光源部からの光の光量を所定値に略均一にし、前記第１の領域の周辺近傍の第２の領域では、前記光源部からの光の光量を前記第１の領域からの距離に応じて前記所定値よりも小さくする導光光学系と、
前記導光光学系を前記第２の領域の大きさに対応して移動する移動部と、を有することを特徴とする照明装置。
【請求項２】
前記導光光学系は、ロッドインテグレータであって、
前記移動部は、前記ロッドインテグレータを移動することを特徴とする請求項１に記載の照明装置。
【請求項３】
前記導光光学系は、ロッドインテグレータと、前記ロッドインテグレータの射出側に設けられた照明光学系とからなり、
前記移動部は、前記ロッドインテグレータと前記照明光学系との少なくとも一方を移動することを特徴とする請求項１に記載の照明装置。
【請求項４】
請求項１〜３のいずれか一項に記載の照明装置と、
前記第１の領域と前記第２の領域とにわたって設けられ、前記導光光学系からの光を画像信号に応じて変調する空間光変調装置と、
前記空間光変調装置で変調された光を投写する投写レンズと、を有することを特徴とするプロジェクタ。
【請求項５】
光を供給する光源部と、
射出端面から所定距離だけ離れた面内の第１の領域では、前記光源部からの光の光量を所定値に略均一にし、前記第１の領域の周辺近傍の第２の領域では、前記光源部からの光の光量を前記第１の領域からの距離に応じて前記所定値よりも小さくする導光光学系と、
前記第１の領域と前記第２の領域とにわたって設けられ、前記導光光学系からの光を画像信号に応じて変調する空間光変調装置と、
前記空間光変調装置で変調された光を投写する投写レンズと、
前記空間光変調装置を前記第２の領域の大きさに対応して移動する移動部と、を有することを特徴とするプロジェクタ。
【発明の詳細な説明】
【技術分野】
【０００１】
本発明は、照明装置及びプロジェクタ、特に、複数のプロジェクタからの投写光により１つの画像を形成するプロジェクタシステムに用いられる照明装置及びプロジェクタの技術に関する。
【背景技術】
【０００２】
従来、複数のプロジェクタからの投写光により１つの画像を形成するプロジェクタシステム（以下、適宜「プロジェクタシステム」という。）が提案されている。プロジェクタシステムの各プロジェクタは、スクリーン等の投写面の領域を分担して、画像信号に応じた光を投写する。各プロジェクタにより投写面の領域を分担することから、プロジェクタシステムは、１つのプロジェクタを用いて１つの画像を形成する場合に比較して、容易に明るい画像を得ることができる。また、プロジェクタシステムは、各プロジェクタの解像度を合計した解像度によって１つの画像を表示することから、容易に高解像度にできるという特徴も有する。
【０００３】
従来のプロジェクタシステムは、切れ目が無い画像を形成するために、各プロジェクタからの投写像どうしが重なり合うように構成されている。このとき各プロジェクタからの
投写像どうしが重なり合う継目部分には、画像信号に応じた変調光が重畳して投写される
こととなる。継目部分に変調光が重畳して投写されると、例えば、全体が黒色の画像を表
示する場合に、継目部分がライン状に見えてしまう場合がある。複数のプロジェクタを用
いるプロジェクタシステムにおいて、継目部分のみが明るくなることを低減するための技
術としては、例えば、以下の特許文献１に提案されているものがある。
【０００４】
【特許文献１】特開２００１−２６８４７６号公報
【発明の開示】
【発明が解決しようとする課題】
【０００５】
特許文献１に提案されている技術は、新たに遮光板を設けることにより、継目部分へ投写される光の一部を遮光するものである。プロジェクタシステムでは、遮光のための新たな部品を設けず簡易な構成によって、画像の継目部分を目立たなくする技術が望まれている。
【０００６】
また、単独のプロジェクタにより、画像を投写する通常の使用形態を望むときもある。以下、このような使用形態を目的とするプロジェクタを、適宜「パーソナルプロジェクタ」と呼ぶ。このときは、複数のプロジェクタからの投写光により１つの画像を形成するプロジェクタシステムを構成するいずれか一つのプロジェクタを選択して、単独でパーソナルプロジェクタとして使用できることが望ましい。
【０００７】
従来、パーソナルプロジェクタの機能と、プロジェクタシステムを構成できる機能と、を兼用できない。このため、ユーザは、それぞれの目的に合致したプロジェクタを、それぞれ用意しなければならず、不便でありコストもかかってしまい問題である。
【０００８】
本発明は、上述に鑑みてなされたものであり、複数のプロジェクタからの投写光により１つの画像を形成するプロジェクタシステムとしての使用と、単独のプロジェクタでパーソナルプロジェクタとしての使用との、両方を兼用できるプロジェクタ、及びこのプロジェクタのための照明装置を提供することを目的とする。
【課題を解決するための手段】
【０００９】
上述した課題を解決し、目的を達成するために、第１の発明によれば、光を供給する光源部と、射出端面から所定距離だけ離れた面内の第１の領域では、光源部からの光の光量を所定値に略均一にし、第１の領域の周辺近傍の第２の領域では、光源部からの光の光量を第１の領域からの距離に応じて所定値よりも小さくする導光光学系と、導光光学系を第２の領域の大きさに対応して移動する移動部と、を有することを特徴とする照明装置を提供できる。
【００１０】
複数のプロジェクタからの投写光により１つの画像を表示する場合、投写像どうしが重なり合う継目部分のみが明るくなることを防ぐために、画像の継目部分を投写する光の光量を調節することが望ましい。本発明の照明装置を用いるプロジェクタは、導光光学系を移動させることにより、第２の領域を継目部分とするように投写像を形成する。第２の領域を継目部分として画像を表示することで、継目部分を目立たなくする。また、単独のプロジェクタからの投写光により画像を表示する場合は、投写光の周辺部における光量の調節が不要となる。本発明の照明装置を用いるプロジェクタは、導光光学系の中心軸が光軸と略一致する位置に導光光学系を戻すことにより、単独のプロジェクタとして使用することができる。これにより、複数のプロジェクタからの投写光により１つの画像を形成するプロジェクタシステムとしての使用と、単独のプロジェクタでパーソナルプロジェクタとしての使用との、両方を兼用できるプロジェクタのための照明装置を得られる。
【００１１】
また、本発明の好ましい態様によれば、導光光学系は、ロッドインテグレータであって、移動部は、ロッドインテグレータを移動することが望ましい。ロッドインテグレータを移動可能な構成とすることにより、投写像の周辺部における光量の調節をすることができる。
【００１２】
また、本発明の好ましい態様によれば、導光光学系は、ロッドインテグレータと、ロッドインテグレータの射出側に設けられた照明光学系とからなり、移動部は、ロッドインテグレータと照明光学系との少なくとも一方を移動することが望ましい。導光光学系のロッドインテグレータと照明光学系との少なくとも一方を移動可能な構成とすることにより、投写像の周辺部における光量の調節をすることができる。
【００１３】
また、第２の本発明によれば、上述の照明装置と、第１の領域と第２の領域とにわたって設けられ、導光光学系からの光を画像信号に応じて変調する空間光変調装置と、空間光変調装置で変調された光を投写する投写レンズと、を有することを特徴とするプロジェクタを提供できる。上記の照明装置を有することにより、複数のプロジェクタからの投写光により１つの画像を形成するプロジェクタシステムとしての使用と、単独のプロジェクタでパーソナルプロジェクタとしての使用との、両方を兼用できるプロジェクタを得られる。
【００１４】
また、第３の本発明によれば、光を供給する光源部と、射出端面から所定距離だけ離れた面内の第１の領域では、光源部からの光の光量を所定値に略均一にし、第１の領域の周辺近傍の第２の領域では、光源部からの光の光量を第１の領域からの距離に応じて所定値よりも小さくする導光光学系と、第１の領域と第２の領域とにわたって設けられ、導光光学系からの光を画像信号に応じて変調する空間光変調装置と、空間光変調装置で変調された光を投写する投写レンズと、空間光変調装置を第２の領域の大きさに対応して移動する移動部と、を有することを特徴とするプロジェクタを提供できる。空間光変調装置を移動可能な構成とすることにより、投写像の周辺部における光量の調節をすることができる。これにより、複数のプロジェクタからの投写光により１つの画像を形成するプロジェクタシステムとしての使用と、単独のプロジェクタでパーソナルプロジェクタとしての使用との、両方を兼用できるプロジェクタを得られる。
【発明を実施するための最良の形態】
【００１５】
以下に、本発明に係る照明装置及びプロジェクタの実施例を図面に基づいて詳細に説明する。なお、この実施例によりこの発明が限定されるものではない。
【実施例１】
【００１６】
図１は、実施例１に係るプロジェクタ１００を用いるプロジェクタシステム１１０により、スクリーン１２０に画像を形成する構成を示す。本実施例では、まず、プロジェクタシステム１１０について説明し、次いで、実施例１に係るプロジェクタ１００の概略構成、及び、画像の継目部分を目立たなくするためのプロジェクタ１００の構成の説明を行う。プロジェクタシステ１１０は、４つのプロジェクタ１００、１０１、１０２、１０３からの投写光により、スクリーン１２０に１つの画像を形成する。
【００１７】
プロジェクタ１００、１０１、１０２、１０３は、スクリーン１２０に画像を投写し、投写光の入射側にて画像を観察する、いわゆるフロント型プロジェクタである。プロジェクタシステム１１０の各プロジェクタは、スクリーン１２０をＸ方向に２つ、Ｙ方向に２つのマトリクス状に配置された領域ＡＲ１、ＡＲ２、ＡＲ３、ＡＲ４に分担して、画像信号に応じた光を投写する。例えば、図１に示すように、プロジェクタ１００は、スクリーン１２０上の領域ＡＲ１に変調光Ｌ１を投写する。
【００１８】
図２は、本発明の実施例１に係るプロジェクタ１００の概略構成を示す。プロジェクタ１００の光源部２０１は、赤色光（以下、「Ｒ光」という。）を供給するＲ光用発光ダイオード素子（以下、「ＬＥＤ」という。）２０１Ｒと、緑色光（以下、「Ｇ光」という。）を供給するＧ光用ＬＥＤ２０１Ｇと、青色光（以下、「Ｂ光」という。）を供給するＢ光用ＬＥＤ２０１Ｂと、を有する。光源部２０１からの各色光は、コリメータレンズ２０２で略平行にされた後、導光光学系であるロッドインテグレータ２０３に入射する。
【００１９】
ロッドインテグレータ２０３は、断面が略矩形の透明な硝子部材からなる。ロッドインテグレータ２０３に入射した光は、硝子部材と空気との界面において全反射を繰り返しながらロッドインテグレータ２０３の内部を進行する。ロッドインテグレータ２０３として、硝子部材から構成するものに限らず、内面を反射面で構成する中空構造のものを用いても良い。内面を反射面とするロッドインテグレータの場合、ロッドインテグレータに入射した光は、反射面において反射を繰り返しながらロッドインテグレータの内部を進行する。また、ロッドインテグレータは、硝子部材と反射面とを組み合わせる構成としても良い。
【００２０】
ロッドインテグレータ２０３から射出した光は、防塵ガラス２０４を透過した後、空間光変調装置である液晶型空間光変調装置２０５に入射する。防塵ガラス２０４は、ロッドインテグレータ２０３の射出端面と、液晶型空間光変調装置２０５の入射面とに挟まれるように設けられている。防塵ガラス２０４は、光学的に透明な部材、例えば硝子部材を用いることができる。防塵ガラス２０４は、ロッドインテグレータ２０３及び液晶型空間光変調装置２０５を位置決めするほか、液晶型空間光変調装置２０５の液晶層を封止する用途で設けられている。また、液晶型空間光変調装置２０５の液晶層近傍に異物が混入すると、投写像にムラを生じる場合がある。このため、防塵ガラス２０４は、防塵の役目も果たす。液晶型空間光変調装置２０５は、画像信号に応じて液晶層に光を透過させる、いわゆる透過型液晶表示装置である。液晶型空間光変調装置２０５で変調された光は、投写レンズ２０６によりスクリーン１２０の領域ＡＲ１に投写される。
【００２１】
次に、Ｒ光用ＬＥＤ２０１Ｒと、Ｇ光用ＬＥＤ２０１Ｇと、Ｂ光用ＬＥＤ２０１Ｂとの点灯時間及び点灯タイミングについて説明する。図２を用いて説明したように、プロジェクタ１００は、１つの液晶型空間光変調装置２０５を用いて各色光を変調する。液晶型空間光変調装置２０５は、画像の１フレーム内において、色光ごとに異なる変調を行う。各色光用ＬＥＤ２０１Ｒ、２０１Ｇ、２０１Ｂは、液晶型空間光変調装置２０５の変調に合わせて、色光ごとに順に点灯する。
【００２２】
Ｒ光、Ｇ光、Ｂ光を順次投写し、全体として白色の投写像を得るためには、Ｇ光の光束量が全体の光束量のうち６０〜８０％であることを要する。各色光用ＬＥＤ２０１Ｒ、２０１Ｇ、２０１Ｂの出力量が同一である場合、Ｇ光の光束量が不足することとなる。このため、Ｇ色用ＬＥＤ２０１Ｇの点灯時間を、Ｒ光用ＬＥＤ２０１Ｒの点灯時間、及びＢ光用ＬＥＤ２０１Ｂの点灯時間のいずれよりも長くする。また、図２に示すプロジェクタ１００において色光ごとに１つのＬＥＤを設ける構成としているが、色光ごとに複数のＬＥＤを設ける構成としても良い。色光ごとに複数のＬＥＤを設ける場合、Ｇ光用ＬＥＤ２０１Ｇの数量を、Ｒ光用ＬＥＤ２０１Ｒの数量、及びＢ光用ＬＥＤ２０１Ｂの数量のいずれよりも多くすることで、Ｇ光の光束量を多くしても良い。
【００２３】
図３を用いて、プロジェクタ１００が変調光Ｌ１を投写するスクリーン１２０上の領域ＡＲ１について説明する。図３において斜線部分で表示する領域ＡＲ１は、スクリーン１２０に向かって、スクリーン１２０の左上部分に位置する。領域ＡＲ１は、領域ＡＲ１のプラスＸ側に位置する領域ＡＲ２と重なり合う。領域ＡＲ１のうちの領域ＡＲ６は、領域ＡＲ１と領域ＡＲ２とが重なり合う継目部分である。図４に示すように、領域ＡＲ６は、プロジェクタ１００から投写される変調光Ｌ１と、プロジェクタ１０１から投写される変調光Ｌ２とが重畳して照射する。図３に戻って、領域ＡＲ１のうちの領域ＡＲ５は、領域ＡＲ１と領域ＡＲ３とが重なり合う継目部分である。さらに、領域ＡＲ７は、継目部分のうち、領域ＡＲ１と、領域ＡＲ２と、領域ＡＲ３と、領域ＡＲ４とが重なり合う部分である。
【００２４】
プロジェクタシステム１１０は、各プロジェクタからの変調光を投写する領域どうしが重なり合うように構成することにより、切れ目が無い画像を形成する。なお、各プロジェクタからの変調光を投写する領域どうしをスクリーン１２０上で重ね合わせず並列させる構成とすると、領域どうしの間に線が入っているように見えてしまう場合がある。プロジェクタシステム１１０を用いて切れ目が無い画像を形成するためには、各プロジェクタからの変調光を投写する領域どうしが重なり合う構成とすることが有効である。
【００２５】
図５−２は、プロジェクタシステム１１０を構成するときの、プロジェクタ１００のロッドインテグレータ２０３と、防塵ガラス２０４と、液晶型空間光変調装置２０５との配置を示す。ここで、少なくとも、光源部２０１と、ロッドインテグレータ２０３とで照明装置を構成する。ロッドインテグレータ２０３から射出される光は、周辺部において光量が減衰する。
【００２６】
移動部である段差を有する楔部５００は、矢印ＹＡ方向に沿って第１の位置と第２の位置とに移動可能である。図５−２は、楔部５００が第１の位置の状態を示す。ロッドインテグレータ２０３は、不図示のばねにより、矢印Ｆの方向へ付勢力が作用している。楔部５００は、第１の位置の状態のとき、ばねの付勢力に対抗してロッドインテグレータ２０３を図５−２の左方向へ移動させる。この状態では、ロッドインテグレータ２０３の中心軸は、光源部２０１とコリメータレンズ２０２とで定義される光軸ＡＸに対して、一定量シフトしている。なお、液晶型空間光変調装置２０５は、その中心軸が光軸ＡＸと一致するように配置されている。
【００２７】
図５−２の状態における、スクリーン１２０上の光量分布を説明する。図６−１は、スクリーン１２０における領域ＡＲ１と領域ＡＲ２とを示す。また、領域ＡＲ６は、領域ＡＲ１と領域ＡＲ２とが重なり合う継目部分である。図６−２は、領域ＡＲ１と領域ＡＲ２とに対応する光量（輝度）分布を示す。第１の領域Ｓ１では、光源部２０１からの光の光量は、直線Ｉ１のように所定値で略均一である。また、第１の領域Ｓ１の周辺近傍の第２の領域Ｓ２では、光源部２０１からの光の光量は、直線Ｉ２のように第１の領域Ｓ１からの距離に応じて所定値よりも小さくなる。そして、領域ＡＲ６において、減衰する光量どうしを加算した輝度を、直線Ｉ１の輝度と等しくなるように構成する。このため、領域ＡＲ６の光量を、隣接する領域ＡＲ１、ＡＲ２における光量と略同一にできる。この結果、観察者は、スクリーン１２０において、複数の領域ＡＲ１、ＡＲ２、ＡＲ３、ＡＲ４間の重複部分を認識することを低減できる。従って、スムーズな合成画像を得ることができる。
【００２８】
次に、プロジェクタ１００をパーソナルプロジェクタとして用いる構成を説明する。このときは、図５−１に示すように、楔部５００を矢印ＹＡ方向に移動し、第２の位置の状態とする。この状態では、ロッドインテグレータ２０３は、ばねの付勢力Ｆにより、図５−１の右方向へ移動する。これにより、ロッドインテグレータ２０３の中心軸と、光軸ＡＸとが一致する。
【００２９】
図５−１に示すように、パーソナルプロジェクタとしてプロジェクタ１００を使用するときは、ロッドインテグレータ２０３を射出する光のうち、周辺光量が減衰している領域には、液晶型空間光変調装置２０５が配置されていない。そして、液晶型空間光変調装置２０５は、周辺部にいたるまで均一な光量分布の照明光で照明されている。従って、プロジェクタ１００をパーソナルプロジェクタとして用いることができる。このように、本実施形態によれば、複数のプロジェクタからの投写光により１つの画像を形成するプロジェクタシステムとしての使用と、単独のプロジェクタとしての使用との、両方を兼用できるプロジェクタを得ることができる。
【実施例２】
【００３０】
図７−１、図７−２は、本発明の実施例２に係るプロジェクタ７００の光源部２０１から液晶型空間光変調装置２０５までの構成を示す。本実施例では、導光光学系は、ロッドインテグレータ２０３と照明レンズ７１０とから構成される。
【００３１】
実施例１と同様に、移動部である段差を有する楔部５００は、矢印ＹＡ方向に沿って第１の位置と第２の位置とに移動可能である。図７−２は、楔部５００が第１の位置の状態を示す。照明レンズ７１０は、不図示のばねにより、矢印Ｆの方向へ付勢力が作用している。楔部５００は、第１の位置の状態のとき、ばねの付勢力に対抗して照明レンズ７１０を図５−２の左方向へ移動させる。この状態では、照明レンズ７１０の中心軸は、光源部２０１とコリメータレンズ２０２とで定義される光軸ＡＸに対して、一定量シフトしている。
【００３２】
図７−２の状態における、スクリーン１２０上の光量分布を説明する。このとき、図６−２に示したように、第１の領域Ｓ１では、光源部２０１からの光の光量は、直線Ｉ１のように所定値で略均一である。また、第１の領域Ｓ１の周辺近傍の第２の領域Ｓ２では、光源部２０１からの光の光量は、直線Ｉ２のように第１の領域Ｓ１からの距離に応じて所定値よりも小さくなる。このため、領域ＡＲ６において、隣接する領域ＡＲ１、ＡＲ２における光量と略同一にできる。この結果、観察者は、スクリーン１２０において、複数の領域ＡＲ１、ＡＲ２、ＡＲ３、ＡＲ４間の重複部分を認識することを低減できる。従って、スムーズな合成画像を得ることができる。
【００３３】
次に、実施例２においてプロジェクタ７００をパーソナルプロジェクタとして用いる構成を説明する。このときは、図７−１に示すように、楔部５００を矢印ＹＡ方向に移動して、第２の位置の状態とする。この状態では、照明レンズ７１０は、ばねの付勢力Ｆにより、図７−１の右方向へ移動する。これにより、照明レンズ７１０の中心軸と、光軸ＡＸとが一致する。
【００３４】
図７−１に示すように、パーソナルプロジェクタとしてプロジェクタ７００を使用するときは、照明レンズ７１０を射出する光のうち、周辺光量が減衰している領域には、液晶型空間光変調装置２０５が配置されていない。そして、液晶型空間光変調装置２０５は、周辺部にいたるまで均一な光量分布の照明光で照明されている。従って、プロジェクタをパーソナルプロジェクタとして用いることができる。このように、本実施形態によれば、複数のプロジェクタからの投写光により１つの画像を形成するプロジェクタシステムとしての使用と、単独のプロジェクタとしての使用との、両方を兼用できるプロジェクタを得ることができる。
【００３５】
（実施例２の変形例）
本実施例の変形例を図８−１、図８−２を用いて説明する。変形例において、移動部は、ねじ部８０１と、駆動体部８０２と、クリックばね８０３とから構成される。ねじ部８０１は、駆動体部８０２に螺合可能である。ねじ部８０１を回転することで、駆動体部８０２は、矢印ＹＡ方向に移動する。また、駆動体部８０２には、２つの切欠きＫ１、Ｋ２が形成されている。図８−２は、クリックばね８０３が、切欠きＫ１に係合している状態を示す。この状態では、照明レンズ７１０は、光軸ＡＸに対してシフトしている。このため、上述のように、プロジェクタシステムとして使用できる。
【００３６】
これに対して、図８−１は、クリックばね８０３が、切欠きＫ２に係合している状態を示す。この状態では、照明レンズ７１０の中心軸は、光軸ＡＸと一致している。このため、上述のように、パーソナルプロジェクタとして使用できる。本変形例によれば、ねじ部８０１を調整することで、確実に照明レンズ７１０の位置を制御できる。
【実施例３】
【００３７】
図９−１、図９−２は、本発明の実施例３に係るプロジェクタ９００のロッドインテグレータ２０３から液晶型空間光変調装置２０５までの構成を示す。本実施例では、導光光学系は、ロッドインテグレータ２０３と照明レンズ７１０とから構成される。
【００３８】
実施例１と同様に、移動部である段差を有する楔部５００は、矢印ＹＡ方向に沿って第１の位置と第２の位置とに移動可能である。図９−２は、楔部５００が第１の位置の状態を示す。防塵ガラス２０４は、不図示のばねにより、矢印Ｆの方向へ付勢力が作用している。液晶型空間光変調装置２０５は、防塵ガラス２０４に固着されている。楔部５００は、第１の位置の状態のとき、ばねの付勢力に対抗して防塵ガラス２０４を図９−２の左方向へ移動させる。この状態では、液晶型空間光変調装置２０５の中心軸ＡＸ２は、光源部２０１から照明レンズ７１０までの光軸ＡＸに対して、一定量シフトしている。このため、上述のように、プロジェクタシステムとして使用できる。
【００３９】
これに対して、図９−１は、楔部５００を矢印ＹＡに沿った方向へ動かした状態を示す。このとき、液晶型空間光変調装置２０５の中心軸ＡＸ２は、光軸ＡＸと一致している。このため、上述のように、パーソナルプロジェクタとして使用できる。このように、液晶型空間光変調装置２０５を移動させても良い。さらに好ましくは、液晶型空間光変調装置２０５の移動に伴い、投写レンズ２０６も同一の方向へ移動させることが好ましい。
【実施例４】
【００４０】
図１０−１、図１０−２は、本発明の実施例４に係るプロジェクタ１０００の概略構成を示す。プロジェクタ１０００は、いわゆる３板式のプロジェクタである。Ｒ光用ＬＥＤ２０１ＲからのＲ光は、コリメータレンズ２０２Ｒで平行光に変換される。そして、Ｒ光は、Ｒ光用ロッドインテグレータ２０３Ｒ、照明レンズ７１０Ｒを経て、防塵ガラス２０４Ｒに固着されたＲ光用液晶型空間光変調装置２０５Ｒを照明する。Ｒ光用液晶型空間光変調装置２０５ＲはＲ光を変調して射出する。
【００４１】
Ｒ光と同様の光学系により、Ｇ光用液晶型空間光変調装置２０５Ｇは、Ｇ光を変調して射出する。また、Ｂ光用液晶型空間光変調装置２０５Ｂは、Ｂ光を変調して射出する。そして、ダイクロイックプリズム１１００は、Ｒ光、Ｇ光、Ｂ光を合成して、不図示のスクリーンの方向へ射出する。
【００４２】
照明レンズ７１０Ｒ、７１０Ｇ、７１０Ｂは、それぞれ移動部である楔部５００Ｒ、５００Ｇ、５００Ｂで移動可能に構成されている。図１０−２は、プロジェクタ１０００の断面構成を示す。各楔部５００Ｒ、５００Ｇ、５００Ｂは、連結部材１２５０により一体的に連結されている。そして、調整部１２００を矢印ＹＡ方向に移動することで、３つの楔部５００Ｒ、５００Ｇ、５００Ｂを同時に所定の方向へ移動できる。これにより、上記各実施例と同様に、プロジェクタ１０００を、プロジェクタシステムと、パーソナルプロジェクタとに切り換えて使用できる。なお、上記各実施例における導光光学系は、ロッドインテグレータ２０３及び照明レンズ７１０のうちの一方が移動可能な構成に限らず、ロッドインテグレータ２０３及び照明レンズ７１０の両方を移動可能な構成としても良い。
【００４３】
各実施例においては、フロント型プロジェクタの構成について説明している。これに限らず、スクリーンの一方の面に画像信号に応じた光を入射させ、スクリーンの他方の面から画像を観察する、いわゆるリア型のプロジェクタシステムに本発明のプロジェクタを用いても良い。また、上記各実施例のプロジェクタは、光源部としてＬＥＤを用いているが、例えば、他の固体発光素子や、超高圧水銀ランプ、レーザ光源等を用いても良い。
【００４４】
プロジェクタに用いられる空間光変調装置としては、透過型液晶表示装置に限らず、光を画像信号に応じて反射する反射型液晶表示装置を用いても良い。さらに、空間光変調装置としては、液晶型空間光変調装置に限られず、例えば、ティルトミラーデバイスを用いても良い。
【産業上の利用可能性】
【００４５】
以上のように、本発明に係るプロジェクタは、複数のプロジェクタからの投写光により１つの画像を形成するプロジェクタシステムと、パーソナルプロジェクタとに兼用する場合に適している。
【図面の簡単な説明】
【００４６】
【図１】プロジェクタシステムにより画像を形成する構成を示す図。
【図２】本発明の実施例１に係るプロジェクタの概略構成図。
【図３】プロジェクタが変調光を投写するスクリーン上の領域の説明図。
【図４】プロジェクタが変調光を投写するスクリーン上の領域の説明図。
【図５−１】実施例１のロッドインテグレータの移動を示す図。
【図５−２】実施例１のロッドインテグレータの移動を示す他の図。
【図６−１】スクリーン上の領域の重なりを示す図。
【図６−２】領域の重なり部分の光量変化を示す図。
【図７−１】実施例２の照明レンズの移動を示す図。
【図７−２】実施例２の照明レンズの移動を示す他の図。
【図８−１】実施例２の変形例の照明レンズの移動を示す図。
【図８−２】実施例２の変形例の照明レンズの移動を示す他の図。
【図９−１】実施例３の液晶型空間光変調装置の移動を示す図。
【図９−２】実施例３の液晶型空間光変調装置の移動を示す他の図。
【図１０−１】本発明の実施例４に係るプロジェクタの概略構成図。
【図１０−２】実施例４の照明レンズの移動を示す図。
【符号の説明】
【００４７】
１００、１０１、１０２、１０３  プロジェクタ、１１０  プロジェクタシステム、１２０  スクリーン、２０１  光源部、２０１Ｒ  Ｒ光用ＬＥＤ、２０１Ｇ  Ｇ光用ＬＥＤ、２０１Ｂ  Ｂ光用ＬＥＤ、２０２  コリメータレンズ、２０３  ロッドインテグレータ、２０４  防塵ガラス、２０５  液晶型空間光変調装置、２０６  投写レンズ、ＡＲ１、ＡＲ２、ＡＲ３、ＡＲ４、ＡＲ５、ＡＲ６、ＡＲ７  領域、ＡＸ  光軸、ＡＸ２  中心軸、Ｓ１  第１の領域、Ｓ２  第２の領域、Ｉ１、Ｉ２  光量、Ｆ  付勢力、５００  楔部、７００  プロジェクタ、７１０  照明レンズ、８０１  ねじ部、８０２  駆動体部、Ｋ１、Ｋ２  切欠き、８０３  クリックばね、９００  プロジェクタ、１０００  プロジェクタ、１１００  ダイクロイックプリズム、２０２Ｒ、２０２Ｇ、２０２Ｂ  各色光用コリメータレンズ、２０３Ｒ、２０３Ｇ、２０３Ｂ  各色光用ロッドインテグレータ、７１０Ｒ、７１０Ｇ、７１０Ｂ  各色光用照明レンズ、２０４Ｒ、２０４Ｇ、２０４Ｂ  各色光用防塵ガラス、２０５Ｒ、２０５Ｇ、２０５Ｂ  各色光用液晶型空間光変調装置、５００Ｒ、５００Ｇ、５００Ｂ  各色光用楔部、１２００  調整部、１２５０  連結部材
【図１】
2006023459.tif 000003
【図２】
2006023459.tif 000004
【図３】
2006023459.tif 000005
【図４】
2006023459.tif 000006
【図５−１】
2006023459.tif 000007
【図５−２】
2006023459.tif 000008
【図６−１】
2006023459.tif 000009
【図６−２】
2006023459.tif 000010
【図７−１】
2006023459.tif 000011
【図７−２】
2006023459.tif 000012
【図８−１】
2006023459.tif 000013
【図８−２】
2006023459.tif 000014
【図９−１】
2006023459.tif 000015
【図９−２】
2006023459.tif 000016
【図１０−１】
2006023459.tif 000017
【図１０−２】
2006023459.tif 000018